(57)【要約】【課題】トンネルの中心部分（トンネル軸を含む部分）にスペースを確保でき、通信ケーブル等のラインが中心部分に敷設されているトンネルであっても使用することができるようにする。【解決手段】セグメントリングＡ１の内周面Ａ１ａに沿うように索条部材１０（例えば、ワイヤー）やそのガイド手段１１を配置し、力伝達手段１４を介して該索条部材１０を前記セグメントリングＡ１に取り付け、牽引手段１３により該索条部材１０を牽引して該セグメントリングＡ１を周方向Ｃ１に順次回転させる。その回転の際、不図示のカッターによって該セグメントリングＡ１を切断することにより該セグメントリングＡ１を解体することができる。前記索条部材１０や前記ガイド手段１１等はセグメントリングＡ１の内周面Ａ１ａに沿うように配置されているのでトンネルの中心部分（トンネル軸を含む部分）にスペースを確保でき、通信ケーブル等のラインが中心部分に敷設されているトンネルであっても使用することができる。【選択図】図１
2015004266.tif 000002
【特許請求の範囲】
【請求項１】
複数のセグメントリングが接続されてなる既設トンネルを解体するシールド掘進機において、
前記セグメントリングの内周面の２つの周方向の内の一方の周方向を“一の周方向”とし、該一の周方向とは反対の周方向を“他の周方向”とした場合に、
可撓性に富む索条部材と、
前記セグメントリングの内周面の前記一の周方向に沿うように前記索条部材を移動自在にガイドするガイド手段と、
該ガイド手段を支持する掘進機本体と、
前記索条部材を少なくとも前記一の周方向に牽引する牽引手段と、
前記索条部材と前記セグメントリングとの間に介装されることにより前記牽引手段の牽引力を該セグメントリングに伝達する力伝達手段と、
を備え、
前記索条部材を前記牽引手段によって牽引することに基づき、該セグメントリングを少なくとも前記一の周方向に回転せしめる、
ことを特徴とするシールド掘進機。
【請求項２】
前記力伝達手段は、前記セグメントリングを挟んで略対向するように該セグメントリングの両方の側面又は該側面の近傍にそれぞれ取り付けられてなる、
ことを特徴とする請求項１に記載のシールド掘進機。
【請求項３】
前記セグメントリングの２つの側面の内の一方の側面を“第１側面”とし、他方の側面を“第２側面”とした場合に、
前記力伝達手段は、前記セグメントリングの前記第１側面又はその近傍にて回転自在に支持される滑車（以下、“第１動滑車”とする）と、前記セグメントリングの前記第２側面又はその近傍にて回転自在に支持される滑車（以下、“第２動滑車”とする）と、を有し、
前記ガイド手段は、前記掘進機本体からトンネル軸方向に突設された突設部材と、該突設部材に回転自在に支持された滑車（以下、“固定滑車”とする）と、を有し、
前記第１動滑車及び前記第２動滑車には前記一の周方向に力を作用させると共に前記固定滑車は前記他の周方向の反力を受けるように、前記索条部材を前記第１動滑車、前記固定滑車及び前記第２動滑車に巻き掛けてなる、
ことを特徴とする請求項１又は２に記載のシールド掘進機。
【請求項４】
前記力伝達手段は、前記第１動滑車に略対向するように前記セグメントリングの前記第１側面又はその近傍にて回転自在に支持される滑車（以下、“第１対向動滑車”とする）と、前記第２動滑車に略対向するように前記セグメントリングの前記第２側面又はその近傍にて回転自在に支持される滑車（以下、“第２対向動滑車”とする）と、を有し、
前記ガイド手段は、前記固定滑車と離間する位置にて前記突設部材に回転自在に支持された滑車（以下、“対向固定滑車”とする）、を有し、
前記索条部材は、前記各動滑車及び前記各固定滑車に巻き掛けられると共に両端が前記ガイド手段の側に固定され、
前記牽引手段は前記索条部材の両方向に牽引力を作用せしめるように構成されて、前記第１対向動滑車及び前記第２対向動滑車には前記他の周方向に力を作用させると共に前記対向固定滑車は前記一の周方向の反力を受けるように構成された、
ことを特徴とする請求項３に記載のシールド掘進機。
【発明の詳細な説明】
【技術分野】
【０００１】
本発明は、複数のセグメントリングが接続されてなる既設トンネルを解体するシールド掘進機に係り、詳しくは、可撓性に富む索条部材によってセグメントリングを回転させる機構を備えたシールド掘進機に関する。
【背景技術】
【０００２】
従来、老朽化した既設トンネル（具体的には、円弧状のセグメントピースが環状に連結されてセグメントリングが構成されると共に該セグメントリングがトンネル軸方向に接続されて構成されたトンネル）を埋め戻したり更新したりする際にシールド掘進機が使用されており、様々な構造のものが提案されている（例えば、特許文献１，２，３参照）。
【０００３】
図８は、シールド掘進機の従来構造及び使用状態の一例を示す縦断面図であり、図９はその横断面図である。図８中の符号Ａは、解体される既設トンネルを示し、符号１００はシールド掘進機を示している。このシールド掘進機１００は、既設トンネルＡの解体時にセグメントＡ１の破片を掴み取るセグメント掴取装置１０１を備えており、該セグメント掴取装置１０１は、掴取装置支持部１０１ａに支持された旋回部材（アーム部）１０１ｂと、該旋回部材１０１ｂを旋回させるための旋回用モータ１０１ｃと、セグメントＡ１の破片を掴み取るように該旋回部材１０１ｂの先端に取り付けられてなるキャッチホーク（ハンド部）１０１ｄと、により構成されている。
【先行技術文献】
【特許文献】
【０００４】
【特許文献１】特開平６−８８４９６号公報
【特許文献２】特開平５−１６３８９７号公報
【特許文献３】特開平６−２２１０９９号公報
【発明の概要】
【発明が解決しようとする課題】
【０００５】
ところで、上記従来装置の場合、セグメント掴取装置１０１は既設トンネルＡの中心部分（トンネル軸を含む部分）に配置されているためにその部分に作業用スペースを確保できないという問題があった。
【０００６】
また、従来は、洞道（つまり、通信ケーブルやガス管や送電線等の種々のラインが敷設されているトンネル）のセグメントを更新する場合は、該ラインの使用を止めることが困難であることから、該ラインを一時的に移設して前記シールド掘進機を設置するためのスペースをトンネル内に確保する必要があり、その更新工事に莫大な日数やコストが掛かってしまうという問題があった。
【０００７】
本発明は、上述の問題を解消することのできるシールド掘進機を提供することを目的とするものである。
【課題を解決するための手段】
【０００８】
請求項１に係る発明は、図１及び図２に例示するものであって、複数のセグメントリング（Ａ１，Ａ２，…）が接続されてなる既設トンネル（Ａ）を解体するシールド掘進機（１）において、
前記セグメントリング（Ａ１）の内周面（Ａ１ａ）の２つの周方向（図１の符号Ｃ１，Ｃ２参照）の内の一方の周方向（Ｃ１）を“一の周方向”とし、該一の周方向（Ｃ１）とは反対の周方向（Ｃ２）を“他の周方向”とした場合に、
可撓性に富む索条部材（１０）と、
前記セグメントリング（Ａ１）の内周面（Ａ１ａ）の前記一の周方向（Ｃ１）に沿うように前記索条部材（１０）を移動自在にガイドするガイド手段（１１）と、
該ガイド手段（１１）を支持する掘進機本体（図２の符号１２参照）と、
前記索条部材（１０）を少なくとも前記一の周方向（Ｃ１）に牽引する牽引手段（１３）と、
前記索条部材（１０）と前記セグメントリング（Ａ１）との間に介装されることにより前記牽引手段（１３）の牽引力を該セグメントリング（Ａ１）に伝達する力伝達手段（１４）と、
を備え、
前記索条部材（１０）を前記牽引手段（１３）によって牽引することに基づき、該セグメントリング（Ａ１）を少なくとも前記一の周方向（Ｃ１）に回転せしめることを特徴とする。
【０００９】
請求項２に係る発明は、図３に例示するものであって、請求項１に係る発明において、前記力伝達手段（１４）が、前記セグメントリング（Ａ１）を挟んで略対向するように該セグメントリング（Ａ１）の両方の側面（Ａ１ｂ，Ａ１ｃ）又は該側面（Ａ１ｂ，Ａ１ｃ）の近傍にそれぞれ取り付けられてなることを特徴とする。
【００１０】
請求項３に係る発明は、図３に例示するものであって、請求項１又は２に係る発明において、前記セグメントリング（Ａ１）の２つの側面の内の一方の側面（Ａ１ｂ）を“第１側面”とし、他方の側面（Ａ１ｃ）を“第２側面”とした場合に、
前記力伝達手段（１４）は、前記セグメントリング（Ａ１）の前記第１側面（Ａ１ｂ）又はその近傍にて回転自在に支持される滑車（以下、“第１動滑車”とする）（１４１）と、前記セグメントリング（Ａ１）の前記第２側面（Ａ１ｃ）又はその近傍にて回転自在に支持される滑車（以下、“第２動滑車”とする）（１４２）と、を有し、
前記ガイド手段（１１）は、前記掘進機本体（１２）からトンネル軸方向（Ｂ）に突設された突設部材（１１０）と、該突設部材（１１０）に回転自在に支持された滑車（以下、“固定滑車”とする）（１１２，１１３）と、を有し、
前記第１動滑車（１４１）及び前記第２動滑車（１４２）には前記一の周方向（Ｃ１）に力を作用させると共に前記固定滑車（１１２，１１３）は前記他の周方向（Ｃ２）の反力を受けるように、前記索条部材（１０）を前記第１動滑車（１４１）、前記固定滑車（１１２，１１３）及び前記第２動滑車（１４２）に巻き掛けてなることを特徴とする。
【００１１】
請求項４に係る発明は、図３に例示するものであって、請求項３に係る発明において、前記力伝達手段（１４）が、前記第１動滑車（１４１）に略対向するように前記セグメントリング（Ａ１）の前記第１側面（Ａ１ｂ）又はその近傍にて回転自在に支持される滑車（以下、“第１対向動滑車”とする）（１４３）と、前記第２動滑車（１４２）に略対向するように前記セグメントリング（Ａ１）の前記第２側面（Ａ１ｃ）又はその近傍にて回転自在に支持される滑車（以下、“第２対向動滑車”とする）（１４４）と、を有し、
前記ガイド手段（１１）は、前記固定滑車（１１２，１１３）と離間する位置にて前記突設部材（１１０）に回転自在に支持された滑車（以下、“対向固定滑車”とする）（１１４，１１５）、を有し、
前記索条部材（１０）は、前記各動滑車（１４１，…）及び前記各固定滑車（１１２，…）に巻き掛けられると共に両端（１０ａ，１０ｂ）が前記ガイド手段（１１）の側に固定され、
前記牽引手段（１３）は前記索条部材（１０）の両方向に牽引力を作用せしめるように構成されて、前記第１対向動滑車（１４３）及び前記第２対向動滑車（１４４）には前記他の周方向（Ｃ２）に力を作用させると共に前記対向固定滑車（１１４，１１５）は前記一の周方向（Ｃ１）の反力を受けるように構成されたことを特徴とする。
【００１２】
なお、括弧内の番号などは、図面における対応する要素を示す便宜的なものであり、従って、本記述は図面上の記載に限定拘束されるものではない。
【発明の効果】
【００１３】
請求項１に係る発明によれば、前記セグメントリングを少なくとも前記一の周方向に回転させることができる。したがって、該セグメントリングを順次回転させながら電動カッター等で切断したりすることで、該セグメントリングの解体を行うことができる。また、本発明によれば、前記索条部材や前記ガイド手段は前記セグメントリングの内周面に沿うように該内周面に近接した位置に配置されているため、既設トンネルの中心部分（つまり、トンネル軸に沿った部分）にスペースを設けることができ、そのスペースを作業用等のスペースとして利用することができる。さらに、中心部分にライン（つまり、通信ケーブルやガス管や送電線等のライン）が敷設されている洞道（既設トンネル）であっても該ラインとの干渉を避けるようにして前記索条部材や前記ガイド手段を配置することができ、トンネル内のラインは移設せずにそのままにしておいてトンネルのセグメントだけを解体することができる。
【００１４】
請求項２に係る発明によれば、前記牽引手段が発生させた力（牽引力）は前記索条部材及び前記力伝達部材を介してセグメントリングの両側面（該セグメントリングを挟んで略対向する部分）に作用することとなり、該セグメントリングのトンネル軸方向（或いはその逆方向）への傾動が防止される。
【００１５】
請求項３及び４に係る発明によれば、動滑車の使用により牽引力をアップさせることができると共に、前記牽引手段に小出力で小型のものを使用することができて占有スペースを小さくすることができる。
【図面の簡単な説明】
【００１６】
【図１】図１は、本発明に係るシールド掘進機の構造及び使用方法の一例を示す横断面図である。
【図２】図２は、本発明に係るシールド掘進機の構造及び使用方法の一例を示す縦断面図である。
【図３】図３は、索条部材及び各動滑車等の配置位置の一例を示す模式図である。
【図４】図４(a) 〜(c) は、セグメントリングの解体の手順を示す模式図である。
【図５】図５(a) 〜(c) は、セグメントリングの解体の手順を示す模式図である。
【図６】図６(a) 〜(c) は、セグメントリングの解体の手順を示す模式図である。
【図７】図７は、既設トンネルの解体方法の一例を示すフローチャート図である。
【図８】図８は、シールド掘進機の従来構造の一例を示す縦断面図である。
【図９】図９は、シールド掘進機の従来構造の一例を示す横断面図である。
【発明を実施するための形態】
【００１７】
以下、図１乃至図７に沿って、本発明の実施の形態について説明する。
【００１８】
本発明に係るシールド掘進機は、複数のセグメントリング（円弧状のセグメントピースが環状に連結されて構成されたセグメントリング）がトンネル軸方向に接続されてなる既設トンネルを埋め戻したり更新したりする際に使用される装置であって、該既設トンネルを解体する機能を有する装置である。図１に例示するように、前記セグメントリングＡ１の内周面Ａ１ａの２つの周方向Ｃ１，Ｃ２の内の一方の周方向Ｃ１を“一の周方向”とし、該一の周方向Ｃ１とは反対の周方向Ｃ２を“他の周方向”とした場合に、本発明に係るシールド掘進機は、図１及び図２に符号１で例示するように、
・  可撓性に富む索条部材（例えば、チェーンやワイヤーなど）１０と、
・  前記セグメントリングＡ１の内周面Ａ１ａの前記一の周方向Ｃ１に沿うように（つまり、前記セグメントリングＡ１の内周面Ａ１ａに近接した状態で、該内周面Ａ１ａの前記一の周方向Ｃ１に沿って延設されるように）前記索条部材１０を移動自在にガイドするガイド手段１１と、
・  該ガイド手段１１を支持する掘進機本体１２と、
・  前記索条部材１０を少なくとも前記一の周方向Ｃ１に牽引する牽引手段（ウインチ）１３と、
・  前記索条部材１０と前記セグメントリングＡ１との間に介装されることにより前記牽引手段１３の牽引力を該セグメントリングＡ１に伝達する力伝達手段１４と、
により構成されたセグメント解体装置Ｄを備えていて、前記索条部材１０を前記牽引手段１３によって牽引することに基づき、該セグメントリングＡ１を少なくとも前記一の周方向Ｃ１に回転せしめるように構成されている。この場合、Ｃ形鋼のような適当な剛性カバー（不図示）で前記索条部材１０を覆うようにしておいて、作業者が該索条部材１０に触れにくいようにしておくと良い。また、本発明に係るシールド掘進機１はセグメントリングＡ１を１つずつ回転させるように構成されていることが好ましいが、複数のセグメントリングを同時に回転させる構成のものを本発明の範囲から除外するものでは無い。さらに、本発明に係るシールド掘進機１により回転させるセグメントリングＡ１の下面にはローラーコンベヤＥ，…等の公知の転動部材を設けておいて、該セグメントリングＡ１が円滑に周方向Ｃ１，Ｃ２に回転されるようにしておくと良い。そして、そのローラーコンベヤＥの発進立坑側（図２の右側）及び到達立坑側（図２の左側）には、前記セグメントリングＡ１の両方又は一方の側面（トンネル軸方向Ｂに直交する面の意である）Ａ１ｂ，Ａ１ｃに接触し得る部材（ガイド部材）Ｇ，Ｇを配置しておいて、該セグメントリングＡ１が回転中にトンネル軸方向Ｂ（又はその逆方向）に移動してしまわないようにしておくと良い。これらのガイド部材Ｇ，ＧはセグメントリングＡ１の下側に配置されていて、該セグメントリングＡ１がローラーコンベヤＥ上に載置された状態でのみ該セグメントリングＡ１の位置規制を行うようになっているので、該セグメントリングＡ１を既設トンネルＡから切り離してローラーコンベヤＥに載置するまでの移動を阻害することはない。
【００１９】
本発明によれば、前記セグメントリングＡ１を少なくとも前記一の周方向Ｃ１に回転させることができる。したがって、該セグメントリングＡ１を順次回転させながら不図示の電動カッター（いわゆる電気丸のこと呼ばれるカッターや、チェーンソーなど）や他の破砕装置でセグメントリングＡ１を順次切断したり、セグメントピースを接合しているボルト（不図示）を外したりすることで、図４(a) →(b) →(c) →図５(a) →(b) →(c) →図６(a) →(b) →(c) に示すように、該セグメントリングＡ１の解体を行うことができる。また、本発明によれば、前記索条部材１０や前記ガイド手段１１は前記セグメントリングＡ１の内周面Ａ１ａに沿うように該内周面Ａ１ａに近接した位置に配置されていると共に（滑車等を用いて索条部材１０の経路を変更することで）前記牽引手段１３の設置位置は比較的自由に変更することができるため、前記既設トンネルＡの中心部分（つまり、トンネル軸Ｈに沿った部分）にスペースを設けることができ、そのスペースを作業用等のスペースとして利用することができる。さらに、中心部分にライン（つまり、通信ケーブルやガス管や送電線等のライン）が敷設されている洞道（既設トンネル）であっても該ラインとの干渉を避けるようにして前記索条部材１０や前記ガイド手段１１を配置することができ、トンネル内のラインは移設せずにそのままにしておいてトンネルのセグメントだけを解体することができる。またさらに、前記セグメントリングＡ１の内周面Ａ１ａに沿う位置には前記ガイド手段１１が配置されているので、解体中のセグメントリングＡ１が前記既設トンネルＡの中心部分（つまり、トンネル軸Ｈに沿った部分）の側へ傾動するのを防止することが可能となる。
【００２０】
なお、図１に示す力伝達手段１４は、前記セグメントリングＡ１に回転自在に支持されてなる滑車であるが、前記牽引手段１３の牽引力を前記セグメントリングＡ１に伝えるものであれば滑車以外のものであっても良く、ボルトボックス（図３に符号Ａ１ｄで例示するものであって、セグメントリングどうしを接合するために使用されていたボルトボックス）に装着されるボルト（不図示）であっても、該ボルトボックスＡ１ｄを利用せずにセグメントリングＡ１自体に打ち込まれるアンカーボルトであっても、ボルト以外の公知の何らかの部品であっても良い。
【００２１】
また、図１に示す前記力伝達手段１４は前記セグメントリングＡ１の側面に取り付けられているが、該セグメントリングＡ１の内周面Ａ１ａに１つ以上取り付けるようにしても良い。さらに、前記力伝達手段を前記セグメントリングＡ１の側面に取り付ける場合には、前記セグメントリングＡ１を挟んで略対向するように該セグメントリングＡ１の両方の側面Ａ１ｂ，Ａ１ｃ又は該側面Ａ１ｂ，Ａ１ｃの近傍にそれぞれ取り付けておくと良い。つまり、前記セグメントリングＡ１の２つの側面Ａ１ｂ，Ａ１ｃの内の一方の側面Ａ１ｂを“第１側面”とし、他方の側面Ａ１ｃを“第２側面”とした場合に、前記力伝達手段１４を、
・  前記セグメントリングＡ１の前記第１側面Ａ１ｂ又はその近傍と、
・  前記セグメントリングＡ１の前記第２側面Ａ１ｃ又はその近傍と、
にそれぞれ取り付けておくと良い。そのようにした場合には、前記牽引手段１３が発生させた力（牽引力）は前記索条部材１０及び前記力伝達部材１４を介してセグメントリングＡ１の両側面Ａ１ｂ，Ａ１ｃ（該セグメントリングＡ１を挟んで略対向する部分）に作用することとなり、該セグメントリングＡ１のトンネル軸方向Ｂ（或いはその逆方向）への傾動が防止される。
【００２２】
なお、図３に示す例では、前記力伝達手段１４は、ボルトボックスＡ１ｄ（つまり、セグメントリングどうしを連結するために使用されていたボルトボックスＡ１ｄ）に取り付けられている。このようにすることにより、該力伝達手段１４を確実かつ簡便にセグメントリングＡ１に取り付けることができる。
【００２３】
一方、上述のガイド手段１１は、
・  図２及び図３に明示するように、前記セグメントリングＡ１の内周面Ａ１ａに沿うように（該内周面Ａ１ａに近接した位置に）前記掘進機本体１２からトンネル軸方向Ｂに突設された突設部材１１０と、
・  図３に明示するように、該突設部材１１０に支持されて前記セグメントリングＡ１の内周面Ａ１ａの前記一の周方向Ｃ１に沿うように前記索条部材１０を移動自在にガイドするガイド部１１１と、
により構成すると良い。なお、図３に示す突設部材１１０は、トンネル軸方向Ｂに延設された複数本の円柱状の部材であるが、もちろんこれに限られるものではなく、どのような形状（例えば、角柱状や円筒状や角筒状や）であっても良く、或いは、前記セグメントリングＡ１の内径より少し小さい外径を持つ１つの筒状部材であっても良い。また、上述のガイド部１１１としては、
・  前記索条部材１０をガイドするように前記突設部材１１０に回転自在に支持された滑車や、
・  該索条部材１０を摺動自在に支持する溝部
などを挙げることができる。また、前記牽引手段１３はブレーキ付きのものにしておいて、セグメントリングの切断をカッターで行う場合に該ブレーキを働かせて、セグメントリングによる切断刃の挟み込み及びセグメント自重による落下回動を防止するようにすると良い。
【００２４】
ところで、図３に詳示するように、前記力伝達手段１４を、前記セグメントリングＡ１の前記第１側面Ａ１ｂ又はその近傍にて回転自在に支持される滑車（以下、“第１動滑車”とする）１４１と、前記セグメントリングＡ１の前記第２側面Ａ１ｃ又はその近傍にて回転自在に支持される滑車（以下、“第２動滑車”とする）１４２と、により構成しておき、前記ガイド手段１１には、前記突設部材１１０に回転自在に支持された滑車（以下、“固定滑車”とする）１１２，１１３を設けておいて、前記第１動滑車１４１及び前記第２動滑車１４２には前記一の周方向Ｃ１に力を作用させると共に前記固定滑車１１２，１１３は前記他の周方向Ｃ２の反力を受けるように、前記索条部材１０を前記第１動滑車１４１、前記固定滑車１１２，１１３及び前記第２動滑車１４２に巻き掛けておくと良い。そのようにした場合には、動滑車１４１，１４２の使用により牽引力をアップさせることができると共に、前記牽引手段１３に小出力で小型のものを使用することができて占有スペースを小さくすることができる。なお、図３に示す固定滑車１１２，１１３は、
・  前記第１動滑車１４１に略対向するように前記セグメントリングＡ１の前記第１側面Ａ１ｂ又はその近傍にて回転自在に支持される第１固定滑車１１２と、
・  該第１固定滑車１１２及び前記第２動滑車１４２に略対向するように前記セグメントリングＡ１の前記第２側面Ａ１ｃ又はその近傍にて回転自在に支持される第２固定滑車１１３と、
であるが、前記他の周方向Ｃ２の反力を受けるように配置されるものであれば配置位置や個数をどのように設定しても良い。
【００２５】
さらに、前記力伝達手段１４は、前記第１動滑車１４１に略対向するように前記セグメントリングＡ１の前記第１側面Ａ１ｂ又はその近傍にて回転自在に支持される滑車（以下、“第１対向動滑車”とする）１４３と、前記第２動滑車１４２に略対向するように前記セグメントリングＡ１の前記第２側面Ａ１ｃ又はその近傍にて回転自在に支持される滑車（以下、“第２対向動滑車”とする）１４４と、を有するようにし、前記ガイド手段１１は、前記固定滑車１１２，１１３と離間する位置にて前記突設部材１１０に回転自在に支持された滑車（以下、“対向固定滑車”とする）１１４，１１５を有するようにして、前記索条部材１０は、前記各動滑車１４１，…，１４４及び前記各固定滑車１１２，…，１１５に適切な順序で巻き掛けられると共に両端（図３の符号１０ａ，１０ｂ参照）が前記ガイド手段１１の側に固定され、前記牽引手段１３は前記索条部材１０の両方向に牽引力を作用せしめるように構成されて、前記第１対向動滑車１４３及び前記第２対向動滑車１４４には前記他の周方向Ｃ２に力を作用させると共に前記対向固定滑車１１４，１１５は前記一の周方向Ｃ１の反力を受けるように構成しておくと良い。そのようにした場合には、前記セグメントリングＡ１を前記一の周方向Ｃ１だけでなく前記他の周方向Ｃ２にも回転させることが可能となる。前記セグメント解体装置Ｄによって前記セグメントリングＡ１を一の周方向Ｃ１にしか回転させられない場合には、図４(a) →(b) →(c) →図５(a) →(b) →(c) →図６(a) →(b) に示すように該セグメントリングＡ１を回転させながら解体すると、前記力伝達手段１４は、図６(c) に示す位置（つまり、前記一の周方向Ｃ１の回転終点端）に到達することとなる。そして、次のセグメントリングＡ２を回転させるためには、該力伝達手段１４を元の位置（つまり、図４(a) に示す位置であって、前記一の周方向Ｃ１の回転始点端）にまで作業者が手動で戻さなければならないが、その際に前記索条部材１０が前記ガイド部１１１や滑車１４１，…等から外れてしまうおそれがある。しかし、セグメントリングを上述のように前記一の周方向Ｃ１だけでなく前記他の周方向Ｃ２にも回転させることができるようにしておくと、次のセグメントリングＡ２は逆方向（前記他の周方向Ｃ２）に回転させれば良いので、前記力伝達手段１４を元の位置にまで戻す必要はなく、効率的に解体作業を進めることができる。また、セグメントリングの切断をカッターで行う場合に前記索条部材１０を逆方向に少し回転させて該セグメントリングを持ち上げることも可能となり、セグメントリングによる切断刃の挟み込みを防止することも可能となる。ところで、上述の牽引手段１３としては、
・  いわゆるエンドレスウインチと呼ばれるような往復牽引型のものを１つだけ用いても、
・  一方向牽引型のウインチを２つ用いて往復牽引できるように構成しても、
どちらでも良い。
【００２６】
次に、前記シールド掘進機１を用いて前記セグメントリングＡ１を解体する既設トンネル解体方法について説明する。
【００２７】
複数のセグメントリングＡ１，…が接続されてなる既設トンネルＡの解体方法は、図７等に例示するものであって、少なくとも以下の工程を備えている。すなわち、
・  発進立坑及び到達立坑を構築する工程（立坑構築工程）Ｓ１
・  公知のカッターヘッド（図２の符号２参照）などを使って既設トンネルＡの外周（周囲）の地山（図２の符号Ｊ参照）を掘削する工程（地山掘削工程）Ｓ２
・  発進立坑側の少なくとも１つのセグメントリングＡ１を前記既設トンネルＡから切り離す工程（セグメントリング切り離し工程）Ｓ３
・  該切り離したセグメントリングＡ１を移動装置（図２の符号４参照。例えば、油圧ジャッキ）により発進立坑側に所定距離（例えば、４００ｍｍ程度）だけ移動させて該セグメントリングＡ１の到達立坑側にスペース（図２の符号Ｋ１参照）を設ける工程（セグメントリング移動工程）Ｓ４
・  該移動が終了したセグメントリングＡ１の位置を仮固定装置（図２の符号３参照）によって仮固定（装置移動工程中は、発進立坑側に移動しないように該セグメントリングＡ１を固定するという意味）した後に、前記移動装置４を発進立坑側に所定距離だけ移動させて該セグメントリングＡ１の発進立坑側にスペース（図２の符号Ｋ２参照）を設ける工程（装置移動工程）Ｓ５
・  前記セグメントリング移動工程Ｓ４及び前記装置移動工程Ｓ５によって形成された到達立坑側及び発進立坑側のスペースＫ１，Ｋ２を利用して前記セグメントリングＡ１の切断を行う工程（第１切断工程：図４(a) 参照）Ｓ６
・  前記セグメントリングＡ１の内周面Ａ１ａの前記一の周方向Ｃ１に沿うようにガイド手段１１を設置すると共に、該一の周方向Ｃ１に移動自在となるように索条部材１０を該ガイド手段１１にガイドさせる工程（索条部材設置工程）Ｓ７
・  力伝達手段１４を介して前記索条部材１０を前記セグメントリングＡ１に係止させる工程（索条部材係止工程）Ｓ８
・  牽引手段１３により前記索条部材１０を介して前記力伝達手段１４を牽引することにより前記セグメントリングＡ１を所定角度だけ少なくとも前記一の周方向Ｃ１に回転させる工程（セグメントリング回転工程）Ｓ９
・  前記セグメントリング移動工程Ｓ４及び前記装置移動工程Ｓ５によって形成された到達立坑側及び発進立坑側のスペースＫ１，Ｋ２を利用して前記セグメントリングＡ１の切断を行う工程（第２切断工程）Ｓ１０
・  該第２切断工程Ｓ１０により切断されたセグメント片（つまり、ボルトによる接合が解除されたセグメントピースや、カッターや破砕装置で切断等されたセグメントの欠片）を他の場所までウインチ等によって搬出する工程（セグメント片搬出工程）Ｓ１１
【００２８】
そして、前記セグメントリング回転工程Ｓ９→前記第２切断工程Ｓ１０→前記セグメント片搬出工程Ｓ１１を順次実施することにより、前記セグメントリングＡ１の解体を行うようになっている。
【００２９】
なお、前記セグメントリング切り離し工程Ｓ４における前記セグメントリングＡ１の切り離しは、
・  セグメントリングどうしを接続しているボルトを回して抜き取ることにより行っても、或いは、
・  何らかの工具で該ボルトを切断することに行っても、
どちらでも良い。また、図２に示す仮固定装置３は、シールド掘進機本体１２の側から到達立坑側に突設された棒状の部材であって、該棒状の部材を前記セグメントリングＡ１の側面Ａ１ｃに押し当てることにより該セグメントリングＡ１の発進立坑側への移動を規制するようになっているが、もちろんこれに限られるものではない。例えば、既設トンネルＡと前記セグメントリングＡ１とを何らかの部材（例えば、棒状の部材）で接続することで、セグメントリングＡ１の発進立坑側への移動を規制するようにしても良い。さらに、該装置移動工程Ｓ５における前記移動装置４の移動は油圧ジャッキ等により行うようにすると良い。またさらに、前記第１切断工程Ｓ６及び前記第２切断工程Ｓ１０における前記セグメントリングＡ１の切断は、
・  電動カッター（いわゆる電気丸のこと呼ばれるカッターや、チェーンソーなど）や他の破砕装置によって行うようにしても、
・  セグメントピースどうしを接合しているボルトの取り外し（回して抜き取ること、及び切断することのいずれか）によって行うようにしても、
どちらでも良い。また、図４乃至６に示す例では、前記第１切断工程Ｓ６及び前記第２切断工程Ｓ１０における前記セグメントリングＡ１の切断は、一番下方の部分で行っているが、もちろんこれに限られるものではなく、他の個所で行うようにしても良い。さらに、前記セグメント解体装置Ｄによる最後のセグメントリング回転工程Ｓ９が終了した時点で、前記力伝達手段１４を前記セグメントリングＡ１（正確には、ほとんどの部分が除去され搬出された後のセグメント片）から取り外す工程（解除工程）Ｓ１２を実施すると良い。そして、次のセグメントリングＡ２については、上記セグメントリング切り離し工程Ｓ３〜前記セグメント片搬出工程Ｓ１１を同様に実施すると良い。なお、前記第１切断工程Ｓ６と前記索条部材設置工程Ｓ７と前記索条部材係止工程Ｓ８とは、必ずしもその順序で実施する必要は無く、どのような順序で実施するようにしても良い。
【００３０】
ところで、前記索条部材係止工程Ｓ８を、前記セグメントリングＡ１を挟んで略対向するように該セグメントリングＡ１の両方の側面Ａ１ｂ，Ａ１ｃ又は該側面Ａ１ｂ，Ａ１ｃの近傍に前記力伝達手段１４をそれぞれ取り付ける工程とすると良い。そのようにした場合には、前記牽引手段１３が発生させた力（牽引力）は前記索条部材１０及び前記力伝達部材１４を介してセグメントリングＡ１の両側面Ａ１ｂ，Ａ１ｃ（該セグメントリングＡ１を挟んで略対向する部分）に作用することとなり、該セグメントリングＡ１のトンネル軸方向Ｂ（或いはその逆方向）への傾動が防止される。
【００３１】
また、前記ガイド手段１１が、前記掘進機本体１２からトンネル軸方向Ｂに突設された突設部材１１０と、該突設部材１１０に回転自在に支持された滑車（以下、“固定滑車”とする）１１２，１１３と、を有するようにし、前記索条部材係止工程Ｓ８では、
・  前記セグメントリングＡ１の前記第１側面Ａ１ｂ又はその近傍にて前記力伝達手段としての滑車（以下、“第１動滑車”とする）１４１を回転自在に支持させ、
・  前記セグメントリングＡ１の前記第２側面Ａ１ｃ又はその近傍にて前記力伝達手段としての滑車（以下、“第２動滑車”とする）１４２を回転自在に支持させ、
・  前記第１動滑車１４１及び前記第２動滑車１４２には前記一の周方向Ｃ１に力を作用させると共に前記固定滑車１１２，１１３は前記他の周方向Ｃ２の反力を受けるように、前記索条部材１０を前記第１動滑車１４１、前記固定滑車１１２，１１３及び前記第２動滑車１４２に巻き掛ける、
ようにすると良い。そのようにした場合には、動滑車１４１，１４２の使用により牽引力をアップさせることができると共に、前記牽引手段１３に小出力で小型のものを使用することができて占有スペースを小さくすることができる。
【００３２】
さらに、前記ガイド手段１１が、前記固定滑車１１２，１１３と離間する位置にて前記突設部材１１０に回転自在に支持された滑車（以下、“対向固定滑車”とする）１１４，１１５、を有するようにし、前記索条部材係止工程Ｓ８では、
・  前記第１動滑車１４１に略対向するように前記セグメントリングＡ１の前記第１側面Ａ１ｂ又はその近傍にて前記力伝達手段としての滑車（以下、“第１対向動滑車”とする）１４３を回転自在に支持させ、
・  前記第２動滑車１４２に略対向するように前記セグメントリングＡ１の前記第２側面Ａ１ｃ又はその近傍にて滑車（以下、“第２対向動滑車”とする）１４４を回転自在に支持させ、
・  前記索条部材１０の両端（図３の符号１０ａ，１０ｂ参照）を前記ガイド手段１１の側に固定し、
・  前記索条部材１０は、前記各動滑車１４１，…，１４４及び前記各固定滑車１１２，…，１１５に適切な順序で巻き掛ける、
ようにし、前記セグメントリング回転工程Ｓ９では、前記牽引手段１３により前記索条部材１０を介して前記力伝達手段１４を前記一の周方向Ｃ１又は前記他の周方向Ｃ２に牽引することにより前記セグメントリングＡ１を所定角度だけ前記一の周方向Ｃ１又は前記他の周方向Ｃ２に回転させるようにすると良い。その場合、一のセグメントリングＡ１については前記セグメントリング回転工程Ｓ９にて前記一の周方向Ｃ１に回転させながら前記第２切断工程Ｓ１０による切断を行い、該一のセグメントリングＡ１に隣接する他のセグメントリングＡ２については前記セグメントリング回転工程Ｓ９にて前記他の周方向Ｃ２に回転させながら前記第２切断工程Ｓ１０による切断を行うようにすると良い。そのようにした場合には、前記エレクタ装置Ｄによって前記セグメントリングＡ１を一の周方向Ｃ１にしか回転させられない場合には、図４(a) →(b) →(c) →図５(a) →(b) →(c) →図６(a) →(b) に示すように該セグメントリングＡ１を回転させながら解体すると、前記力伝達手段１４は、図６(c) に示す位置（つまり、前記一の周方向Ｃ１の回転終点端）に到達することとなる。そして、次のセグメントリングＡ２を回転させるためには、該力伝達手段１４を元の位置（つまり、図４(a) に示す位置であって、前記一の周方向Ｃ１の回転始点端）にまで作業者が手動で戻さなければならないが、その際に前記索条部材１０が前記ガイド部１１１や滑車１４１，…等から外れてしまうおそれがある。しかし、セグメントリングを上述のように前記一の周方向Ｃ１だけでなく前記他の周方向Ｃ２にも回転させることができるようにしておくと、次のセグメントリングＡ２は逆方向（前記他の周方向Ｃ２）に回転させれば良いので、前記力伝達手段１４を元の位置にまで戻す必要はなく、効率的に解体作業を進めることができる。
【符号の説明】
【００３３】
１                シールド掘進機
１０              索条部材
１０ａ，１０ｂ          索条部材の両端
１１              ガイド手段
１２              掘進機本体
１３              牽引手段
１４              力伝達手段
１１０            突設部材
１１２，１１３          固定滑車
１１４，１１５          対向固定滑車
１４１            第１動滑車
１４２            第２動滑車
１４３            第１対向動滑車
１４４            第２対向動滑車
Ａ                既設トンネル
Ａ１                セグメントリング
Ａ１ａ              セグメントリングの内周面
Ａ１ｂ              セグメントリングの第１側面
Ａ１ｃ              セグメントリングの第２側面
Ｃ１                一の周方向
Ｃ２                他の周方向
【図１】
2015004266.tif 000003
【図２】
2015004266.tif 000004
【図３】
2015004266.tif 000005
【図４】
2015004266.tif 000006
【図５】
2015004266.tif 000007
【図６】
2015004266.tif 000008
【図７】
2015004266.tif 000009
【図８】
2015004266.tif 000010
【図９】
2015004266.tif 000011